(57)【要約】【課題】簡易な手段によって書籍を壁面に配置する器具を提供する。【解決手段】器具２は、右上クリップ１１、左上クリップ１２、背クリップ１３、連結部材２４を備えている。連結部材２４は、正面から見て「Ｔ」字状の形状を有している円筒の複合体である。連結部材２４は、中央連結部材２４１と、中央連結部材２４１の３つの先端部分から各々延伸する円筒である合計３つの先端連結部材２４２と、１つの鋲状部材２４３とを有している。中央連結部材２４１の円筒の内部で円筒形状を有する先端連結部材２４２が移動可能である。連結部材２４は、連結部材２４に連結されている右上クリップ１１、左上クリップ１２および背クリップ１３の相対的な位置が容易に移動しないように支持する。器具２は、使用時に書籍Ｂの裏側に配置され、右上クリップ１１、左上クリップ１２および背クリップ１３が書籍Ｂの所定の位置を挟持し、ユーザは、書籍Ｂを壁面Ｗに刺し止める。【選択図】図３
2013042786.tif 000002
【特許請求の範囲】
【請求項１】
壁面に固定され書籍の右上領域を挟持することにより当該右上領域を前記壁面に固定する右上クリップと、前記壁面に固定され前記書籍の左上領域を挟持することにより当該左上領域を前記壁面に固定する左上クリップと、前記書籍の左右方向の中央部分のいずれかの位置を支持する中央支持部材と
を備える書籍を壁面に配置する器具。
【請求項２】
前記右上クリップおよび前記左上クリップを前記中央支持部材に対し左右方向に移動可能な状態で連結する連結部材を備える
請求項１に記載の器具。
【請求項３】
前記連結部材は、前記右上クリップおよび前記左上クリップを前記中央支持部材に対し上下方向に移動可能な状態で連結する
請求項２に記載の器具。
【請求項４】
前記壁面に固定され前記書籍の右下領域を挟持することにより当該右下領域を前記壁面に固定する右下クリップと、前記壁面に固定され前記書籍の左下領域を挟持することにより当該左下領域を前記壁面に固定する左下クリップとを備え、
前記連結部材は、前記右下クリップおよび前記左下クリップを前記中央支持部材に対して左右方向に移動可能な状態で連結する
請求項２または３に記載の器具。
【請求項５】
前記連結部材は、前記右下クリップおよび前記左下クリップを前記中央支持部材に対して上下方向に移動可能な状態で連結する
請求項４に記載の器具。
【請求項６】
前記右上クリップは前記壁面に固定され前記書籍の右下領域を挟持することにより当該右下領域を前記壁面に固定し、前記左上クリップは前記壁面に固定され前記書籍の左下領域を挟持することにより当該左下領域を前記壁面に固定する
請求項１または２に記載の器具。
【請求項７】
前記中央支持部材は、前記壁面に固定され前記書籍の背表紙を挟持することにより当該背表紙を前記壁面に固定する背クリップである
請求項１乃至６のいずれかに記載の器具。
【請求項８】
前記中央支持部材は、前記壁面に固定され前記書籍の下端辺中央領域の下側に配置されることにより当該下端辺中央領域を下側から支持する支持台である
請求項１乃至６のいずれかに記載の器具。
【請求項９】
前記中央支持部材に取り付けられ、前記書籍の左右方向の中央部分に挟入されるように付勢されているピンを備える
請求項８に記載の器具。
【請求項１０】
壁面に固定される壁面支持部材と、前記壁面支持部材に対し左右方向に移動可能な状態で連結される右上クリップおよび左上クリップと
を備え、
前記右上クリップは、前記壁面に固定され書籍の右上領域を挟持することにより当該右上領域を前記壁面に固定し、
前記左上クリップは、前記壁面に固定され前記書籍の左上領域を挟持することにより当該左上領域を前記壁面に固定する
書籍を壁面に配置する器具。
【請求項１１】
前記右上クリップおよび前記左上クリップは、前記壁面支持部材に対し上下方向に移動可能な状態で連結される
請求項１０に記載の器具。
【請求項１２】
前記壁面支持部材に対し左右方向に移動可能な状態で連結される右下クリップおよび左下クリップと
を備え、
前記右下クリップは、前記壁面に固定され書籍の右下領域を挟持することにより当該右上領域を前記壁面に固定し、
前記左下クリップは、前記壁面に固定され前記書籍の左下領域を挟持することにより当該左下領域を前記壁面に固定する
請求項１０または１１に記載の器具。
【請求項１３】
前記右下クリップおよび前記左下クリップは、前記壁面支持部材に対し上下方向に移動可能な状態で連結される
請求項１２に記載の器具。
【請求項１４】
壁面に固定され書籍の上端辺中央領域を挟持することにより当該上端辺中央領域を前記壁面に固定する上端辺中央クリップを備える
書籍を壁面に配置する器具。
【請求項１５】
前記壁面に固定され前記書籍の下端辺中央領域を挟持することにより当該下端辺中央領域を前記壁面に配置する下端辺中央クリップを備える
請求項１４に記載の器具。
【請求項１６】
前記壁面に固定され前記書籍の下端辺中央領域の下側に配置されることにより当該下端辺中央領域を下側から支持する支持台と、
前記支持台に取り付けられ、前記書籍の左右方向の中央部分に挟入されるように付勢されているピンとを備える
請求項１４に記載の器具。
【請求項１７】
前記書籍の表面を覆うように配置される透明なシート状部材である保護シートを備える
請求項１乃至１６のいずれかに記載の器具。
【発明の詳細な説明】
【技術分野】
【０００１】
本発明は、本や雑誌などの書籍を壁面に配置する器具に関する。
【背景技術】
【０００２】
従来、書籍を壁面にインテリアとして飾るというアイデアはほとんど提案されてこなかった。
【０００３】
例えば、書籍を開いた状態で額装する器具が特許文献１に開示されているが、本願出願人が現時点で知る限り、それ以外に同類のアイデアは見当たらない。
【先行技術文献】
【特許文献】
【０００４】
【特許文献１】特開２００３−２６５２８９号公報
【発明の概要】
【発明が解決しようとする課題】
【０００５】
一般人が、書籍の中から美しい風景や好きなアイドルの写真、綺麗なレイアウトのページや自分が掲載された内容などを含むページを自室の壁面に飾りたいと思う場合がある。また、雑誌等に記載された自店の店舗やスタッフ、商品等に関する記事のページを広報する目的で店内の壁面に飾りたいと思う場合がある。また、本屋がお勧めの書籍をインテリアとして店内の壁面に配置したい場合がある。また、例えば医療機関において、診療を受けに来る患者等に対し書籍に書かれた医療情報を広報する目的で、その医療情報が掲載されたページを院内の掲示板等に掲示したい場合がある。
【０００６】
上記のようなニーズに対し、従来、書籍から該当するページを切り取って壁面等に画鋲などで留める、という方法が一般的に用いられてきた。その場合、まずページを切り取る作業が手間であった。また、ユーザが切り取るので見た目が美しくない場合があった。また、書籍に損傷を与えるため、例えば一定期間飾った後は書籍のままで保存しておきたい場合などは、同じ書籍を２つ入手する必要があった。また、見開き２ページで構成される書籍を切り取って平面に貼ろうとすると、それらの接合部分を正確に合わせなければ違和感が生じるなどの問題があった。
【０００７】
上記の事情に鑑み、本発明は、簡易な手段によって書籍のページを開いた状態でそのまま壁面に配置する手段を提供することを目的とする。
【課題を解決するための手段】
【０００８】
本発明は、上記の目的に鑑みて想到されたものであり、
壁面に固定され書籍の右上領域を挟持することにより当該右上領域を前記壁面に固定する右上クリップと、前記壁面に固定され前記書籍の左上領域を挟持することにより当該左上領域を前記壁面に固定する左上クリップと、前記書籍の左右方向の中央部分のいずれかの位置を支持する中央支持部材と
を備える書籍を壁面に配置する器具を提供する（第１の実施態様）。
【０００９】
また、上記の第１の実施態様において、
前記右上クリップおよび前記左上クリップを前記中央支持部材に対し左右方向に移動可能な状態で連結する連結部材を備える
構成を採用してもよい（第２の実施態様）。
【００１０】
また、上記の第２の実施態様において、
前記連結部材は、前記右上クリップおよび前記左上クリップを前記中央支持部材に対し上下方向に移動可能な状態で連結する
構成を採用してもよい（第３の実施態様）。
【００１１】
また、上記の第２または３の実施態様において、
前記壁面に固定され前記書籍の右下領域を挟持することにより当該右下領域を前記壁面に固定する右下クリップと、前記壁面に固定され前記書籍の左下領域を挟持することにより当該左下領域を前記壁面に固定する左下クリップとを備え、
前記連結部材は、前記右下クリップおよび前記左下クリップを前記中央支持部材に対して左右方向に移動可能な状態で連結する
構成を採用してもよい（第４の実施態様）。
【００１２】
また、上記の第４の実施態様において、
前記連結部材は、前記右下クリップおよび前記左下クリップを前記中央支持部材に対して上下方向に移動可能な状態で連結する
構成を採用してもよい（第５の実施態様）。
【００１３】
また、上記の第１または２の実施態様において、
前記右上クリップは前記壁面に固定され前記書籍の右下領域を挟持することにより当該右下領域を前記壁面に固定し、前記左上クリップは前記壁面に固定され前記書籍の左下領域を挟持することにより当該左下領域を前記壁面に固定する
構成を採用してもよい（第６の実施態様）。
【００１４】
また、上記の第１乃至６のいずれかの実施態様において、
前記中央支持部材は、前記壁面に固定され前記書籍の背表紙を挟持することにより当該背表紙を前記壁面に固定する背クリップである
構成を採用してもよい（第７の実施態様）。
【００１５】
また、上記の第１乃至６のいずれかの実施態様において、
前記中央支持部材は、前記壁面に固定され前記書籍の下端辺中央領域の下側に配置されることにより当該下端辺中央領域を下側から支持する支持台である
構成を採用してもよい（第８の実施態様）。
【００１６】
また、上記の第８の実施態様において、
前記中央支持部材に取り付けられ、前記書籍の左右方向の中央部分に挟入されるように付勢されているピンを備える
構成を採用してもよい（第９の実施態様）。
【００１７】
また、本発明は、
壁面に固定される壁面支持部材と、前記壁面支持部材に対し左右方向に移動可能な状態で連結される右上クリップおよび左上クリップと
を備え、
前記右上クリップは、前記壁面に固定され書籍の右上領域を挟持することにより当該右上領域を前記壁面に固定し、
前記左上クリップは、前記壁面に固定され前記書籍の左上領域を挟持することにより当該左上領域を前記壁面に固定する
書籍を壁面に配置する器具を提供する（第１０の実施態様）。
【００１８】
また、上記の第１０の実施態様において、
前記右上クリップおよび前記左上クリップは、前記壁面支持部材に対し上下方向に移動可能な状態で連結される
構成を採用してもよい（第１１の実施態様）。
【００１９】
また、上記の第１０または１１の実施態様において、
前記壁面支持部材に対し左右方向に移動可能な状態で連結される右下クリップおよび左下クリップと
を備え、
前記右下クリップは、前記壁面に固定され書籍の右下領域を挟持することにより当該右上領域を前記壁面に固定し、
前記左下クリップは、前記壁面に固定され前記書籍の左下領域を挟持することにより当該左下領域を前記壁面に固定する
構成を採用してもよい（第１２の実施態様）。
【００２０】
また、上記の第１２の実施態様において、
前記右下クリップおよび前記左下クリップは、前記壁面支持部材に対し上下方向に移動可能な状態で連結される
構成を採用してもよい（第１３の実施態様）。
【００２１】
また、本発明は、
壁面に固定され書籍の上端辺中央領域を挟持することにより当該上端辺中央領域を前記壁面に固定する上端辺中央クリップを備える
書籍を壁面に配置する器具を提供する（第１４の実施態様）。
【００２２】
また、上記の第１４の実施態様において、
前記壁面に固定され前記書籍の下端辺中央領域を挟持することにより当該下端辺中央領域を前記壁面に固定する下端辺中央クリップを備える
構成を採用してもよい（第１５の実施態様）。
【００２３】
また、上記の第１４の実施態様において、
前記壁面に固定され前記書籍の下端辺中央領域の下側に配置されることにより当該下端辺中央領域を下側から支持する支持台と、
前記支持台に取り付けられ、前記書籍の左右方向の中央部分に挟入されるように付勢されているピンとを備える
構成を採用してもよい（第１６の実施態様）。
【００２４】
また、上記の第１乃至１６のいずれかの実施態様において、
前記書籍の表面を覆うように配置される透明なシート状部材である保護シートを備える
構成を採用してもよい（第１７の実施態様）。
【発明の効果】
【００２５】
本発明の第１の実施態様にかかる器具によれば、右上クリップ、左上クリップ、および中央支持部材だけの簡易な構造で、書籍を壁面に配置することができる。
【００２６】
また、本発明の第２の実施態様にかかる器具によれば、連結部材が右上クリップおよび左上クリップを左右方向に移動可能な状態で中央支持部材に連結するので、右上クリップ、左上クリップ、および中央支持部材の相対的な位置関係を好適にして固定することができ、様々なサイズの書籍をしっかりと壁面に配置することができる。
【００２７】
また、本発明の第３の実施態様にかかる器具によれば、連結部材が右上クリップおよび左上クリップを中央支持部材に対して上下方向に移動可能な状態で連結するので、壁面に配置できる書籍のサイズの自由度がさらに高まる。
【００２８】
また、本発明の第４の実施態様にかかる器具によれば、右上クリップ、左上クリップ、中央支持部材、右下クリップ、および左下クリップによって書籍を挟持するなどして壁面に配置するので、よりしっかりと当該書籍を壁面に配置することができる。
【００２９】
また、本発明の第５の実施態様にかかる器具によれば、右下クリップおよび左下クリップの中央支持部材に対する移動の自由度がより高いので、様々なサイズの書籍を壁面に配置することができる。
【００３０】
また、本発明の第６の実施態様にかかる器具によれば、右上クリップおよび左上クリップの各々が書籍の左右の端辺を上下方向の広い範囲に渡り挟持するので、より安定的に書籍を壁面に配置することができる。
【００３１】
また、本発明の第７の実施態様にかかる器具によれば、中央支持部材が背クリップであるので、書籍の背表紙をよりしっかりと壁面に固定することができる。
【００３２】
また、本発明の第８の実施態様にかかる器具によれば、中央支持部材が支持台であるので、書籍に対する下側からの支持をしっかりとした状態で当該書籍を壁面に配置することができる。
【００３３】
また、本発明の第９の実施態様にかかる器具によれば、支持台に取付けられるピンが書籍の左右方向の中央部分に挟入されるので、当該書籍のページが左右方向にしっかりと開かれて好適である。また、そのようなピンが存在することによって、支持台の上に載せた書籍の背表紙が滑り落ちないようにすることができる。
【００３４】
また、本発明の第１０の実施態様にかかる器具によれば、右上クリップ、左上クリップ、および壁面支持部材によって書籍を壁面に配置するので、中央支持部材を備えない簡易な構造で当該書籍を壁面に配置することができる。
【００３５】
また、本発明の第１１の実施態様にかかる器具によれば、右上クリップおよび左上クリップの壁面支持部材に対する移動の自由度がより高いので、より簡易な構造で様々なサイズの書籍を壁面に配置することができる。
【００３６】
また、本発明の第１２の実施態様にかかる器具によれば、右上クリップ、左上クリップ、壁面支持部材、右下クリップ、および左下クリップによって書籍を壁面に配置するので、簡易な構造でよりしっかりと書籍を壁面に配置することができる。
【００３７】
また、本発明の第１３の実施態様にかかる器具によれば、右下クリップおよび左下クリップの壁面支持部材に対する移動の自由度がより高いので簡易な構造でしっかりと様々なサイズの書籍を壁面に配置することができる。
【００３８】
また、本発明の第１４乃至１６の実施態様にかかる器具によれば、より簡易な構成により書籍を壁面に配置することができる。
【００３９】
また、本発明の第１７の実施態様にかかる器具によれば、書籍のページを覆う透明な保護シートを備えるので、当該ページが汚れたり傷ついたりしない。
【図面の簡単な説明】
【００４０】
【図１】図１は、本発明の一具体例である実施例にかかる書籍を壁面に配置する器具を表す概略図である。
【図２】図２は、本発明の一具体例である実施例にかかる器具によって壁面に固定された書籍の一例を示す概略図である。
【図３】図３は、本発明の一具体例である別の実施例にかかる書籍を壁面に配置する器具を表す概略図である。
【図４】図４は、本発明の一具体例である別の実施例にかかる書籍を壁面に配置する器具を表す概略図である。
【図５】図５は、本発明の一具体例である別の実施例にかかる書籍を壁面に配置する器具を表す概略図である。
【図６】図６は、本発明の一具体例である別の実施例にかかる書籍を壁面に配置する器具を表す概略図である。
【図７】図７は、本発明の一具体例である別の実施例にかかる書籍を壁面に配置する器具を表す概略図である。
【図８】図８は、本発明の一具体例である別の実施例にかかる書籍を壁面に配置する器具を表す概略図である。
【図９】図９は、図８にかかる器具の変形例を示す概略図である。
【図１０】図１０は、本発明の一具体例である別の実施例にかかる書籍を壁面に配置する器具を表す概略図である。
【図１１】図１１は、本発明の一具体例に対する変形例を示す概略図である。
【発明を実施するための形態】
【００４１】
（第１実施例）
以下、本発明の一具体例である実施例を、図面を用いて説明する。
【００４２】
図１は、本実施例にかかる書籍Ｂを壁面Ｗに配置する器具１を表す概略図である。
【００４３】
器具１は、右上クリップ１１と、左上クリップ１２と、背クリップ１３とを備えている。
【００４４】
右上クリップ１１は、壁面Ｗに固定され書籍Ｂの右上領域のいずれかの位置を挟持することにより当該右上領域を壁面Ｗに固定する。ここで、書籍Ｂの右上領域とは、書籍Ｂを左右に開いた状態における右側のページの上側の２分の１を占める領域である。
【００４５】
右上クリップ１１は、ガチャック（登録商標）のガチャ玉（登録商標）の様なクリップ状の形状を有している。ただし、右上クリップ１１は、ガチャック（登録商標）のような別の器具を使用することなくクリップの機能を果たせるように、クリップの背の両側の部分から後ろ方向へ延伸する一対の把持部１１１を有している。
【００４６】
ユーザは、把持部１１１を指で押圧することによって、クリップを開き書籍Ｂの（表紙を含んだ）ページの束などを挟持することができる。
【００４７】
右上クリップ１１における挟持を行う互いに向かい合った一対の面１１２は各々、１辺の長さが例えば２センチメートルの正方形状を有している。また、一対の面１１２の間の背の部分における横断方向の長さは、例えば１センチメートルである。一対の面１１２における当該背の部分に対向する一対の辺は、使用されていない時には互いに接触するように付勢されている。
【００４８】
右上クリップ１１における挟持を行う互いに向かい合った一対の面１１２のいずれか一方の中央付近からは、外側へ向けて画鋲状の突起１１３が例えば１センチメートル延伸している。右上クリップ１１は、一対の面１１２で書籍Ｂを挟持した状態において突起１１３を壁面Ｗに刺し込むことによって、書籍Ｂの所定の部分を壁面Ｗに配置することができる。
【００４９】
なお、右上クリップ１１の素材は、例えばステンレスである。
【００５０】
左上クリップ１２は、壁面Ｗに固定され書籍Ｂの左上領域のいずれかの位置を挟持することにより当該左上領域を壁面Ｗに固定する。ここで、書籍Ｂの左上領域とは、書籍Ｂを左右に開いた状態における左側のページの上側の２分の１を占める領域である。
【００５１】
左上クリップ１２の構成は、右上クリップ１１の構成と同じである。したがって、左上クリップ１２は、把持部１２１と、挟持を行う互いに向かい合った一対の面１２２と、一対の面１２２の間の背の部分と、画鋲状の突起１２３とを有している。
【００５２】
背クリップ１３は、壁面Ｗに固定され書籍Ｂの背表紙を挟持することにより当該背表紙を壁面Ｗに固定する。
【００５３】
背クリップ１３は、サイズおよび画鋲状の突起１３３の位置を除いて、右上クリップ１１および左上クリップ１２の構成と同じ構成を有している。
【００５４】
したがって、背クリップ１３は、把持部１３１と、挟持を行う互いに向かい合った一対の面１３２と、一対の面１３２の間の背の部分と、突起１３３とを有している。
【００５５】
当該背の部分の中央付近からは外側へ向けて突起１３３が例えば１．５センチメートル延伸している。
【００５６】
一対の面１３２は各々、縦方向の長さが例えば４センチメートルで横方向の長さが例えば２センチメートルである。また、一対の面１３２の間の背の部分における横断方向の長さは、例えば２センチメートルである。
【００５７】
以下、以上のような構成を有する本実施例にかかる器具１の使用方法の一例について説明する。
【００５８】
書籍Ｂのうちの飾りたいページを開いて、当該ページの右上角部を右上クリップ１１で挟持する。この時、突起１１３が書籍Ｂの裏側に来るように気をつける。
【００５９】
同様にして、左上クリップ１２で書籍Ｂの左上角部を挟持する。なお、右上クリップ１１および左上クリップ１２は、書籍を上側から挟持することも左右方向の側から挟持することもできる。
【００６０】
次に、背クリップ１３で書籍Ｂの背表紙の下端辺付近を挟持する。
【００６１】
最後に、ユーザは、書籍Ｂのページを開いたままの状態で、突起１１３、突起１２３および突起１３３を、書籍Ｂを飾りたい壁面Ｗの位置に刺し止める。なお、本願において「刺し止める」とは書籍Ｂに孔を開ける意味ではなく、書籍Ｂを挟持したクリップから延伸する突起が壁面Ｗに突き刺さることによって書籍Ｂが壁面Ｗに固定されるということである。
【００６２】
図２は、本実施例にかかる器具１によって壁面Ｗに固定された書籍Ｂの一例を示す概略図である。
【００６３】
このように、本や雑誌などの書籍のページを飾ることによって、素敵なインテリアが実現される。なお、この場合、書籍Ｂに直接孔を開けたりページの一部を切り取ったりする必要はない。
【００６４】
（第２実施例）
以下、上述の実施例とは異なる本発明にかかる一具体例である実施例について、図面を用いて説明する。なお、本説明においては、上述の実施例の説明と異なる点を中心に記述し、また同様な構成要素については同様な参照番号を付する。
【００６５】
図３は、本実施例にかかる書籍Ｂを壁面Ｗに配置する器具２を表す概略図である。
【００６６】
器具２は、右上クリップ１１と、左上クリップ１２と、背クリップ１３と、連結部材２４とを備えている。
【００６７】
連結部材２４は、右上クリップ１１および左上クリップ１２を背クリップ１３に対して上下左右方向に移動可能な状態で連結する。
【００６８】
連結部材２４は、正面から見て「Ｔ」字状の形状を有している円筒の複合体である。連結部材２４は、小さな「Ｔ」字状の形状を有している円筒の複合体である中央連結部材２４１と、中央連結部材２４１の３つの先端部分から各々延伸する円筒である合計３つの先端連結部材２４２と、１つの鋲状部材２４３とを有している。
【００６９】
３つの先端連結部材２４２における中央連結部材２４１と係合しない側の端部には、各々右上クリップ１１、左上クリップ１２が回動可能な状態で、および背クリップ１３が回動不可能な状態で連結されている。
【００７０】
なお、連結部材２４の「Ｔ」の横のバーの長さは、先端連結部材２４２を左右方向の最大限外側に移動させた状態で例えば５０センチメートルであり、最大限内側に移動させた状態で例えば３０センチメートルである。そして、連結部材３４の「Ｔ」の縦のバーの長さは、先端連結部材２４２を上下方向の最大限外側に移動させた状態で例えば３５センチメートルであり、最大限内側に移動させた状態で例えば２０センチメートルである。
【００７１】
また、中央連結部材２４１の小さな「Ｔ」の横のバーの長さは、例えば２７センチメートルであり、縦のバーの長さは例えば１７センチメートルである。
【００７２】
なお、中央連結部材２４１における円筒の外径は、例えば１センチメートルであり、先端連結部材２４２における円筒の外径は、例えば０．７センチメートルである。
【００７３】
また、鋲状部材２４３を除く連結部材２４の素材は、例えば十分な強度を有する合成樹脂である。そして、鋲状部材２４３の素材は、例えばステンレスである。
【００７４】
中央連結部材２４１は縦の円筒と横の円筒を「Ｔ」字形状に繋げることによって形成されており、当該円筒の内部で円筒形状を有する先端連結部材２４２が上下方法もしくは左右方向に移動可能である。当該移動においては、中央連結部材２４１と先端連結部材２４２との間で比較的強い摩擦力が働く。
【００７５】
すなわち、連結部材２４は、元の形状を保とうとする力を働かせることで、連結部材２４に連結されている右上クリップ１１、左上クリップ１２、および背クリップ１３の相対的な位置が容易に移動しないように支持する。
【００７６】
なお、上述のように、右上クリップ１１および左上クリップ１２は、回動可能な状態で連結部材２４に連結されているので、書籍Ｂのページを上側からも左右方向の側からも自在に挟持することができる。ただし、当該回動には、比較的強い摩擦力が伴い、連結部材２４に対する右上クリップ１１および左上クリップ１２の相対的な位置関係が容易に変化しないようになっている。
【００７７】
また、鋲状部材２４３は、小さな「Ｔ」の横のバーと縦のバーとが交わる位置において、中央連結部材２４１を壁面Ｗに固定する。
【００７８】
器具２は、使用の際に、書籍Ｂの裏側に配置される。そして、右上クリップ１１、左上クリップ１２、および背クリップ１３が書籍Ｂの所定の位置を挟持し、ユーザは、突起１１３、突起１２３、突起１３３、および鋲状部材２４３によって書籍Ｂを壁面Ｗに刺し止める。
【００７９】
器具２は、上述のような構成を有しているので、簡易な構造によって様々なサイズの書籍Ｂに対応することができる。
【００８０】
（第３実施例）
以下、上述の実施例群とは異なる本発明にかかる一具体例である実施例について、図面を用いて説明する。なお、本説明においては、上述の実施例群の説明と異なる点を中心に記述し、また同様な構成要素については同様な参照番号を付する。
【００８１】
図４は、本実施例にかかる書籍Ｂを壁面Ｗに配置する器具３を表す概略図である。
【００８２】
器具３は、右上クリップ１１と、左上クリップ１２と、背クリップ１３と、連結部材３４とを備えている。
【００８３】
連結部材３４は、右上クリップ１１および左上クリップ１２を背クリップ１３に対して、上下左右方向に移動可能な状態で連結する。
【００８４】
連結部材３４は、正面から見て「Ｖ」字状の形状を有している円筒の複合体である。連結部材３４は、小さな「Ｖ」字状の形状を有している円筒の複合体である中央連結部材３４１と、中央連結部材３４１の２つの上先端部分から各々延伸する円筒である合計２つの先端連結部材３４２と、２つの鋲状部材３４３とを有している。
【００８５】
そして、中央連結部材３４１の小さな「Ｖ」の下の先端部分には背クリップ１３が連結されている。
【００８６】
２つの先端連結部材３４２における中央連結部材３４１と係合しない側の端部には、各々右上クリップ１１および左上クリップ１２が回動可能な状態で連結されている。当該回動は、後述のように中央連結部材３４１が背クリップ１３に対して回動可能なので、右上クリップ１１および左上クリップ１２を常時適切な傾きに維持するために必要である。
【００８７】
なお、連結部材３４の「Ｖ」の２本のバーの各々の長さは、先端連結部材３４２を最大限上方向に移動させた状態で例えば４０センチメートルであり、最大限下方向に移動させた状態で例えば２５センチメートルである。
【００８８】
また、中央連結部材３４１の小さな「Ｖ」の２本のバーの各々の長さは、例えば２２センチメートルである。
【００８９】
なお、中央連結部材３４１における円筒の外径は、例えば１センチメートルであり、先端連結部材３４２における円筒の外径は、例えば０．７センチメートルである。
【００９０】
また、鋲状部材３４３を除く連結部材３４の素材は、例えば十分な強度を有する合成樹脂である。そして、鋲状部材３４３の素材は、例えばステンレスである。
【００９１】
中央連結部材３４１は、背クリップ１３に対して回動可能に取付けられた独立した２本の円筒であり、当該円筒の内部で円筒形状を有する先端連結部材３４２は当該円筒の長手方向と同じ方向に移動可能である。当該移動においては、中央連結部材３４１と先端連結部材３４２との間で比較的強い摩擦力が働く。
【００９２】
また、中央連結部材３４１（独立した２本の円筒の各々）の背クリップ１３に対する回動は、当該回動を抑制する機構を有する部材によって、元の形状を保とうとするような力を受ける。例えば、当該回動の方向に力を加えると、カチカチと段階的に回動する。
【００９３】
すなわち、連結部材３４は、元の形状を保とうとする力を働かせることで、連結部材３４に連結されている右上クリップ１１、左上クリップ１２、および背クリップ１３の相対的な位置が容易に移動しないように支持する。
【００９４】
また、鋲状部材３４３は、小さな「Ｖ」の上側の先端付近の各々において、中央連結部材３４１を壁面Ｗに固定する。この場合、鋲状部材３４３が先端連結部材３４２の移動の妨げになるように思われるが、先端連結部材３４２にはスリットが設けられており移動の際に鋲状部材３４３が邪魔になることを防止する。
【００９５】
器具３は、使用の際に、書籍Ｂの裏側に配置される。そして、右上クリップ１１、左上クリップ１２、および背クリップ１３が書籍Ｂの所定の位置を挟持し、ユーザは、突起１１３、突起１２３、突起１３３、および鋲状部材３４３によって書籍Ｂを壁面Ｗに刺し止める。
【００９６】
器具３は、上述のような構成を有しているので、簡易な構造によって様々なサイズの書籍Ｂに対応することができる。
【００９７】
（第４実施例）
以下、上述の実施例群とは異なる本発明にかかる一具体例である実施例について、図面を用いて説明する。なお、本説明においては、上述の実施例群の説明と異なる点を中心に記述し、また同様な構成要素については同様な参照番号を付する。
【００９８】
図５は、本実施例にかかる書籍Ｂを壁面Ｗに配置する器具４を表す概略図である。
【００９９】
器具４は、右上クリップ１１と、左上クリップ１２と、背クリップ１３と、連結部材４４と、右下クリップ４５と、左下クリップ４６とを備えている。
【０１００】
右下クリップ４５は、壁面Ｗに固定され書籍Ｂの右下領域を挟持することにより当該右下領域を壁面Ｗに固定する。また、左下クリップ４６は、壁面Ｗに固定され書籍Ｂの左下領域を挟持することにより当該左下領域を壁面Ｗに固定する。ここで、書籍Ｂの右下領域とは、書籍Ｂを左右に開いた状態における右側のページの下側の２分の１を占める領域である。また、書籍Ｂの左下領域とは、書籍Ｂを左右に開いた状態における左側のページの下側の２分の１を占める領域である。
【０１０１】
なお、右下クリップ４５および左下クリップ４６の構成は、右上クリップ１１および左上クリップ１２の構成と同様である。
【０１０２】
連結部材４４は、右上クリップ１１、左上クリップ１２、右下クリップ４５、および左下クリップ４６を背クリップ１３に対して上下左右方向に移動可能な状態で連結する。
【０１０３】
連結部材４４は、正面から見て「Ｘ」字状の形状を有している円筒の複合体である。連結部材４４は、小さな「Ｘ」字状の形状を有している円筒の複合体である中央連結部材４４１と、中央連結部材４４１の４つの先端部分から各々延伸する円筒である合計４つの先端連結部材４４２と、４つの鋲状部材４４３とを有している。
【０１０４】
そして、中央連結部材４４１の小さな「Ｘ」における中央の交わっている部分には背クリップ１３が連結されている。
【０１０５】
４つの先端連結部材４４２における中央連結部材４４１と係合しない側の端部には、各々右上クリップ１１、左上クリップ１２、右下クリップ４５、および左下クリップ４６が回動可能な状態で連結されている。当該回動は、後述のように中央連結部材４４１が背クリップ１３に対して回動可能であるので、右上クリップ１１、左上クリップ１２、右下クリップ４５、および左下クリップ４６を常時適切な傾きに維持するために必要である。
【０１０６】
また、上述のような構成を有することにより、右上クリップ１１および左上クリップ１２は、書籍Ｂのページを上側からも左右方向の側からも自在に挟持することができる。
【０１０７】
なお、連結部材４４の「Ｘ」の交わっている２本のバーの長さは、先端連結部材４４２を長手方向の最大限外側に移動させた状態で例えば６０センチメートルであり、最大限内側に移動させた状態で例えば３５センチメートルである。
【０１０８】
また、中央連結部材４４１の小さな「Ｘ」の交わっている２本のバーの各々の長さは、例えば３２センチメートルである。
【０１０９】
なお、中央連結部材４４１における円筒の外径は、例えば１センチメートルであり、先端連結部材４４２における円筒の外径は、例えば０．７センチメートルである。
【０１１０】
また、鋲状部材４４３を除く連結部材２４の素材は、例えば十分な強度を有する合成樹脂である。そして、鋲状部材４４３の素材は、例えばステンレスである。
【０１１１】
中央連結部材４４１は、背クリップ１３に対して回動可能に取付けられた独立した４本の円筒であり、当該円筒の内部で円筒形状を有する先端連結部材４４２は当該円筒の長手方向と同じ方向に移動可能である。当該移動においては、中央連結部材４４１と先端連結部材４４２との間で比較的強い摩擦力が働く。
【０１１２】
また、中央連結部材４４１（独立した４本の円筒の各々）の背クリップ１３に対する回動は、当該回動を抑制する機構を有する部材によって、元の形状を保とうとするような力を受ける。例えば、当該回動の方向に力を加えると、カチカチと段階的に回動する。
【０１１３】
すなわち、連結部材４４は、元の形状を保とうとする力を働かせることで、連結部材４４に連結されている右上クリップ１１、左上クリップ１２、背クリップ１３、右下クリップ４５、および左下クリップ４６の相対的な位置が容易に移動しないように支持する。
【０１１４】
また、鋲状部材４４３は、小さな「Ｘ」の４つの先端付近の各々において、中央連結部材４４１を壁面Ｗに固定する。この場合、鋲状部材４４３が先端連結部材４４２の移動の妨げになるように思われるが、先端連結部材４４２にはスリットが設けられており移動の際に鋲状部材４４３が邪魔になることを防止する。
【０１１５】
器具４は、使用の際に、書籍Ｂの裏側に配置される。そして、右上クリップ１１、左上クリップ１２、背クリップ１３、右下クリップ４５、および左下クリップ４６が書籍Ｂの所定の位置を挟持し、ユーザは、突起１１３、突起１２３、突起１３３、右下クリップ４５の突起、左下クリップ４６の突起、および鋲状部材４４３によって書籍Ｂを壁面Ｗに刺し止める。
【０１１６】
器具４は、上述のような構成を有しているので、様々なサイズの書籍Ｂをしっかりと壁面Ｗに固定（配置）することができる。
【０１１７】
（第５実施例）
以下、上述の実施例群とは異なる本発明にかかる一具体例である実施例について、図面を用いて説明する。なお、本説明においては、上述の実施例群の説明と異なる点を中心に記述し、また同様な構成要素については同様な参照番号を付する。
【０１１８】
図６は、本実施例にかかる書籍Ｂを壁面Ｗに配置する器具５を表す概略図である。
【０１１９】
器具５は、右上クリップ５１と、左上クリップ５２と、背クリップ１３と、連結部材５４とを備えている。
【０１２０】
連結部材５４は、右上クリップ５１および左上クリップ５２を背クリップ１３に対して左右方向に移動可能な状態で連結する。
【０１２１】
連結部材５４は、正面から見て横棒の形状を有している円筒の複合体である。連結部材５４は、小さな横棒の形状を有している円筒である中央連結部材５４１と、中央連結部材５４１の２つの先端部分から各々延伸する円筒である合計２つの先端連結部材５４２と、２つの鋲状部材５４３とを有している。
【０１２２】
２つの先端連結部材５４２における中央連結部材５４１と係合しない側の端部には、各々右上クリップ５１および左上クリップ５２が連結されている。そして、中央連結部材５４１の小さな横棒の中央付近には背クリップ１３が連結されている。
【０１２３】
なお、連結部材５４の横棒の長手方向の長さは、先端連結部材５４２を左右方向の最大限外側に移動させた状態で例えば５０センチメートルであり、最大限内側に移動させた状態で例えば３０センチメートルである。
【０１２４】
また、中央連結部材５４１の横棒の長手方向の長さは、例えば２７センチメートルである。
【０１２５】
なお、中央連結部材５４１における円筒の外径は、例えば１センチメートルであり、先端連結部材５４２における円筒の外径は、例えば０．７センチメートルである。
【０１２６】
また、鋲状部材５４３を除く連結部材５４の素材は、例えば十分な強度を有する合成樹脂である。そして、鋲状部材５４３の素材は、例えばステンレスである。
【０１２７】
中央連結部材５４１は、背クリップ１３に対して取付けられた１本の円筒であり、当該円筒の内部で円筒形状を有する先端連結部材５４２は当該円筒の長手方向と同じ方向に移動可能である。当該移動においては、中央連結部材５４１と先端連結部材５４２との間で比較的強い摩擦力が働く。
【０１２８】
すなわち、連結部材５４は、元の形状を保とうとする力を働かせることで、連結部材５４に連結されている右上クリップ５１、左上クリップ５２、および背クリップ１３の相対的な位置が容易に移動しないように支持する。
【０１２９】
右上クリップ５１は、壁面Ｗに固定され書籍Ｂの右上領域のいずれかの位置および右下領域のいずれかの位置を挟持することにより当該右上領域および右下領域を壁面Ｗに固定する。
【０１３０】
また、左上クリップ５２は、壁面Ｗに固定され書籍Ｂの左上領域のいずれかの位置および左下領域のいずれかの位置を挟持することにより当該左上領域および左下領域を壁面Ｗに固定する。
【０１３１】
また、鋲状部材５４３は、上述の小さな横棒の２つの先端付近の各々において、中央連結部材５４１を壁面Ｗに固定する。この場合、鋲状部材５４３が先端連結部材５４２の移動の妨げになるように思われるが、先端連結部材５４２にはスリットが設けられており移動の際に鋲状部材５４３が邪魔になることを防止する。
【０１３２】
器具５は、使用の際に、書籍Ｂの裏側に配置される。そして、右上クリップ５１、左上クリップ５２、および背クリップ１３が書籍Ｂの所定の位置を挟持し、ユーザは、右上クリップ５１の突起、左上クリップ５２の突起、突起１３３、および鋲状部材５４３によって書籍Ｂを壁面Ｗに刺し止める。
【０１３３】
器具５は、上述のような構成を有しているので、より安定的に書籍Ｂの左右の両端辺を壁面Ｗに固定（配置）することができる。
【０１３４】
（第６実施例）
以下、上述の実施例群とは異なる本発明にかかる一具体例である実施例について、図面を用いて説明する。なお、本説明においては、上述の実施例群の説明と異なる点を中心に記述し、また同様な構成要素については同様な参照番号を付する。
【０１３５】
図７は、本実施例にかかる書籍Ｂを壁面Ｗに配置する器具６を表す概略図である。
【０１３６】
器具６は、右上クリップ１１と、左上クリップ１２と、壁面支持部材６７とを備えている。
【０１３７】
壁面支持部材６７は、壁面Ｗに固定されるとともに、右上クリップ１１および左上クリップ１２を壁面支持部材６７に対して左右方向に移動可能な状態で連結する。
【０１３８】
壁面支持部材６７は、正面から見て横棒の形状を有している円筒の複合体である。壁面支持部材６７は、小さな横棒の形状を有している円筒である中央壁面支持部材６７１と、中央壁面支持部材６７１の２つの先端部分から各々延伸する円筒である合計２つの先端壁面支持部材６７２と、２つの鋲状部材６７３とを有している。
【０１３９】
２つの先端壁面支持部材６７２における中央壁面支持部材６７１と係合しない側の端部には、各々右上クリップ１１および左上クリップ１２が回動可能な状態で連結されている。
【０１４０】
このような構成を有することにより、右上クリップ１１および左上クリップ１２は、書籍Ｂのページを上側からも左右方向の側からも自在に挟持することができる。
【０１４１】
なお、壁面支持部材６７の横棒の長手方向の長さは、先端壁面支持部材６７２を左右方向の最大限外側に移動させた状態で例えば５０センチメートルであり、最大限内側に移動させた状態で例えば３０センチメートルである。
【０１４２】
また、中央壁面支持部材６７１の横棒の長手方向の長さは、例えば２７センチメートルである。
【０１４３】
なお、中央壁面支持部材６７１における円筒の外径は、例えば１センチメートルであり、先端壁面支持部材６７２における円筒の外径は、例えば０．７センチメートルである。
【０１４４】
また、鋲状部材６７３を除く壁面支持部材６７の素材は、例えば十分な強度を有する合成樹脂である。そして鋲状部材６７３の素材は、例えばステンレスである。
【０１４５】
中央壁面支持部材６７１は、１本の円筒であり、当該円筒の内部で円筒形状を有する先端壁面支持部材６７２は当該円筒の長手方向と同じ方向に移動可能である。当該移動においては、中央壁面支持部材６７１と先端壁面支持部材６７２との間で比較的強い摩擦力が働く。
【０１４６】
すなわち、壁面支持部材６７は、元の形状を保とうとする力を働かせることで、壁面支持部材６７に連結されている右上クリップ１１および左上クリップ１２の相対的な位置が容易に移動しないように支持する。
【０１４７】
また、鋲状部材６７３は、上述の小さな横棒の２つの先端付近の各々において、中央壁面支持部材６７１を壁面Ｗに固定する。この場合、鋲状部材６７３が先端壁面支持部材６７２の移動の妨げになるように思われるが、先端壁面支持部材６７２にはスリットが設けられており移動の際に鋲状部材６７３が邪魔になることを防止する。
【０１４８】
器具６は、使用の際に、書籍Ｂの裏側に配置される。そして、右上クリップ１１および左上クリップ１２が書籍Ｂの所定の位置を挟持し、ユーザは、突起１１３、突起１２３、および鋲状部材６７３によって書籍Ｂを壁面Ｗに刺し止める。
【０１４９】
器具６は、上述の実施例群にかかる器具が備えているような背クリップ１３を備えていないので、より簡易な構造により書籍Ｂを壁面Ｗに固定（配置）することができる。
【０１５０】
（第７実施例）
以下、上述の実施例群とは異なる本発明にかかる一具体例である実施例について、図面を用いて説明する。なお、本説明においては、上述の実施例群の説明と異なる点を中心に記述し、また同様な構成要素については同様な参照番号を付する。
【０１５１】
図８は、本実施例にかかる書籍Ｂを壁面Ｗに配置する器具７を表す概略図である。
【０１５２】
器具７は、右上クリップ１１と、左上クリップ１２と、下側背クリップ７３１と、上側背クリップ７３２と、連結部材７４と、右下クリップ４５と、左下クリップ４６とを備えている。
【０１５３】
連結部材２４は、壁面Ｗに固定されるとともに、右上クリップ１１、左上クリップ１２、右下クリップ４５、および左下クリップ４６を下側背クリップ７３１および上側背クリップ７３２に対して上下左右方向に移動可能な状態で連結する。
【０１５４】
連結部材７４は、正面から見て「Ｈ」を横に倒したような形状を有している円筒の複合体である。連結部材７４は、小さな「Ｔ」字状の形状を有している円筒の複合体である上側中央連結部材７４１と、小さな「Ｔ」字を逆さまにしたような形状を有している円筒の複合体である下側中央連結部材７４２と、上側中央連結部材７４１の左右方向の２つの先端部分から各々延伸する円筒である合計２つの上側先端連結部材７４３と、下側中央連結部材７４２の左右方向の２つの先端部分から各々延伸する円筒である合計２つの下側先端連結部材７４４と、上側中央連結部材７４１の縦のバーと下側中央連結部材７４２の縦のバーの間を上下方向に移動可能な状態で連結する円筒である中間中央連結部材７４５とを有している。
【０１５５】
２つの上側先端連結部材７４３における上側中央連結部材７４１と係合しない側の端部には、各々右上クリップ１１および左上クリップ１２が回動可能な状態で連結されている。また、２つの下側先端連結部材７４４における下側中央連結部材７４２と係合しない側の端部には、各々右下クリップ４５および左下クリップ４６が回動可能な状態で連結されている。
【０１５６】
このような構成を有することにより、右上クリップ１１、左上クリップ１２、右下クリップ４５、および左下クリップ４６は、書籍Ｂのページを上下方向の側からも左右方向の側からも自在に挟持することができる。
【０１５７】
そして、上側中央連結部材７４１の「Ｔ」字の横のバーと縦のバーが交わる点付近には上側背クリップ７３２が連結されており、下側中央連結部材７４２の「Ｔ」字の逆さまの横のバーと縦のバーが交わる点付近には下側背クリップ７３１が連結されている。
【０１５８】
なお、連結部材７４の横棒の長手方向の長さは、上側先端連結部材７４３もしくは下側先端連結部材７４４を左右方向の最大限外側に移動させた状態で例えば５０センチメートルであり、最大限内側に移動させた状態で例えば３０センチメートルである。
【０１５９】
また、連結部材７４の縦棒の長手方向の長さは、中間中央連結部材７４５に対して上側中央連結部材７４１および下側中央連結部材７４２を上下方向の最大限外側に移動させた状態で例えば４０センチメートルであり、最大限内側に移動させた状態で例えば２５センチメートルである。
【０１６０】
また、上側中央連結部材７４１および下側中央連結部材７４２の各々の横棒の長手方向の長さは、例えば２７センチメートルである。さらに、上側中央連結部材７４１および下側中央連結部材７４２の各々の縦棒の長手方向の長さは、例えば１０センチメートルである。
【０１６１】
なお、上側中央連結部材７４１および下側中央連結部材７４２における円筒の外径は、例えば１センチメートルであり、上側先端連結部材７４３、下側先端連結部材７４４、および中間中央連結部材７４５における円筒の外径は、例えば０．７センチメートルである。
【０１６２】
また、連結部材７４の素材は、例えば十分な強度を有する合成樹脂である。
【０１６３】
上側中央連結部材７４１は、縦の円筒と横の円筒を「Ｔ」字形状に繋げることによって形成されている。また、下側中央連結部材７４２は、縦の円筒と横の円筒を「Ｔ」字を逆さまにした形状に繋げることによって形成されている。当該円筒の内部で円筒形状を有する上側先端連結部材４７３、下側先端連結部材７４４、および中間中央連結部材７４５は、当該円筒の長手方向と同じ方向に移動可能である。当該移動においては、上側中央連結部材４７１および下側中央連結部材７４２と、上側先端連結部材７４３、下側先端連結部材７４４、および中間中央連結部材７４５との間で比較的強い摩擦力が働く。
【０１６４】
すなわち、連結部材７４は、元の形状を保とうとする力を働かせることで、連結部材７４に連結されている右上クリップ１１、左上クリップ１２、右下クリップ４５、および左下クリップ４６の相対的な位置が容易に移動しないように支持する。
【０１６５】
器具７は、使用の際に、書籍Ｂの裏側に配置される。そして、右上クリップ１１、左上クリップ１２、下側背クリップ７３１、上側背クリップ７３２、右下クリップ４５、および左下クリップ４６が書籍Ｂの所定の位置を挟持し、ユーザは、突起１１３、突起１２３、上側背クリップ７３２の突起、下側背クリップ７３１の突起、右下クリップ４５の突起、左下クリップの突起によって書籍Ｂを壁面Ｗに刺し止める。
【０１６６】
なお、下側背クリップ７３１および上側背クリップ７３２は、特に問題がなければ設けられなくてもよい。
【０１６７】
器具７は、上述のような構成を有しているので、様々なサイズの書籍Ｂをしっかりと壁面Ｗに固定（配置）することができる。
【０１６８】
（変形例）
上述した実施例群は、本発明の技術的思想の範囲内において様々に変形が可能である。
【０１６９】
すなわち、上述した器具１乃至７の各構成要素を特定する数値、形状、素材、個数、位置などはあくまでも一例であって、特に問題がなければその他の数値、形状、素材、個数、位置などが用いられてもよい。
【０１７０】
例えば、上述の第１乃至５のいずれかの実施例において採用されている背クリップ１３は、その他の中央支持部材によって代替されてもよい。当該中央支持部材とは、書籍Ｂの左右方向の中央部分のいずれかの位置を支持する部材であり、例えば、壁面Ｗに固定され書籍Ｂの下端辺中央領域の下側に配置されることにより当該下端辺中央領域を下側から支持する支持台が考えられる。なお、中央支持部材は、特に問題がなければ設けられなくてもよい。ちなみに、背クリップ１３は、上述したように一対の面１３２が互いに付勢されることによりその機能を果たすものの他に、別の板状の部材を背クリップ１３の凹みの例えば右側に配置して、当該板状の部材をネジやバネなどによって押圧して書籍Ｂの背表紙を固定する構成を採用してもよい。
【０１７１】
なお、上述のような支持台が採用される場合、書籍Ｂの左右方向の中央部分に挟入されるように付勢されているピンが当該支持台に取付けられてもよい。そのような構成を採用することで、壁面Ｗに配置される書籍Ｂの中央部分がたるんで見にくくなることを防止することができる。また、そのようなピンが存在することによって、支持台の上に載せた書籍Ｂの背表紙が滑り落ちないようにすることができる。
【０１７２】
なお、例えば、中央支持部材は、長手方向に垂直な平面で切って見た場合の断面が「コ」の字を右側に９０度傾けたような形状を有しており、使用時に当該「コ」の字が形成する凹みに書籍Ｂの下端辺中央領域が収まる構成を有していてもよい。また、板状の部材を１枚だけ「コ」の字が形成する凹みの内側に配置して、中央支持部材の外側から内側へ貫きつつ移動可能な長手方向の長さが例えば２センチメートルの１以上のネジをねじることによって、上述の板状の部材を介して書籍Ｂを当該書籍Ｂのページが開く向きに押圧する構成を採用してもよい。
【０１７３】
また、上述の中央支持部材において、「コ」の字が形成する凹みの内側に配置される板状の部材を例えば複数のバネによって付勢し、当該板状の部材を介して書籍Ｂを当該書籍Ｂのページが開く向きに押圧する構成を採用してもよい。
【０１７４】
また、上述の第１乃至５のいずれかの実施例において採用されている背クリップ１３および背クリップ１３と連結している連結部材２４、連結部材３４、連結部材４４、連結部材５４は、第６実施例において採用されているような壁面支持部材などによって代替されてもよい。なお、上述の第１乃至６のいずれかの実施例において採用されている鋲状部材は、特に問題がなければ設けられなくてもよい。
【０１７５】
当該壁面支持部材は、上述のように、壁面Ｗに固定され、右上クリップ、左上クリップ、右下クリップ、および左下クリップ１２の少なくとも一つを支持する。すなわち、壁面支持部材は、第１乃至５のいずれかの実施例において見られるような中央支持部材を採用しないことにより、より自由度の高い手段によって書籍Ｂを壁面Ｗに配置（固定）することができる。
【０１７６】
また、上述の第１乃至７のいずれかの実施例において採用されている合成樹脂製の円筒および上述の支持台は、カーボンファイバーによって作られていてもよい。カーボンファイバーは、強さと軽さを合わせ持つので、本発明にかかる器具に対して好適に採用可能である。
【０１７７】
また、右上クリップ１１、左上クリップ１２、および背クリップ１３は、上述のような構成を有するものとしたが、特に問題がなければ他のいかなる構成が採用されてクリップとしての機能を果たすものとしてもよい。
【０１７８】
また、右上クリップ１１、左上クリップ１２、および背クリップ１３などのクリップ類は、突起１１３、突起１２３、および突起１３３などの突起を有するものとしたが、特に問題がなければ上述の突起は設けられなくてもよい。
【０１７９】
また、本発明にかかる器具は、書籍Ｂの表面を覆うように配置される透明なシート状部材である保護シートを備えてもよい。
【０１８０】
また、右上クリップ１１、左上クリップ１２、および背クリップ１３などのようなクリップ類は、一対の面を構成するステンレスの金具のいずれか一方の面の上に透明なアクリルの層を設け、当該アクリルの層とステンレスの面との間に書籍Ｂの１ページ目の紙が挿入されるようにしてもよい。
【０１８１】
そのような構成を有することで、書籍Ｂを壁面Ｗに配置（固定）する際に、一番表側にあるページを除いたページおよび表紙の束をステンレスの一対の面によって挟持して、当該一番表側にあるページのみアクリルの層とステンレスの面の間に挿入することができる。これにより、一番表面のページがクリップによって傷むことを防止することができる。また、透明なアクリル層とステンレスの面の間に挿入することで、１ページ目の見た目が安定する。
【０１８２】
また、上述の連結部材や壁面支持部材における各要素間の移動は、釣り竿状の伸縮動作により実現されてもよく、またその他のいかなる方法によって実現されてもよい。
【０１８３】
また、上述した本発明にかかる器具の使用方法はあくまでも一例であって、本発明にかかる器具は他のいかなる方法によって使用されてもよい。
【０１８４】
また、上述した第７実施例にかかる器具７に近い変形例として、図９において示される器具８が考えられる。
【０１８５】
第７実施例と異なる点を中心に説明すると、器具８の連結部材８４は、６枚の細長い板状体８４１を中心として構成されている。板状体８４１は、互いに隣接する板状体８４１との相対的な位置の移動を可能とするために、内側にスリットが設けられている。より具体的には、図９に示されるように、当該スリットの内部に支持部材８４２を有することにより、板状体８４１は最もコンパクトな状態から、大きく開いた状態へと移動可能である。
【０１８６】
なお、図９には示されていないが、板状８４１の右上部分には右上クリップ１１が取り付けられており、左上部分には左上クリップ１２が取り付けられており、右下部分には右下クリップ４５が取り付けられており、左下部分には左下クリップ４６が取り付けられており、支持部材８４２の所定の位置には下側背クリップ７３１および上側背クリップ７３２が取り付けられている。
【０１８７】
なお、下側背クリップ７３１および上側背クリップ７３２は、特に問題がなければ設けられなくてもよい。
【０１８８】
以上のような構成を有することにより、器具８は、コンパクトな状態から広がった状態へと自在に自らの形をかえることが可能であり、様々なサイズの書籍Ｂに対応することができる。
【０１８９】
また、上述してきた本発明にかかる器具の実施例群とは異なる実施例として、図１０に示される器具９が挙げられる。
【０１９０】
器具９は、上端辺中央クリップ９１と、下端辺中央クリップ９２とを備えている。上端辺中央クリップ９１および下端辺中央クリップ９２は、上述した実施例群における右上クリップ１１や左上クリップ１２と同様な構成を有し、それらのサイズを大きくしたようなものである。
【０１９１】
上端辺中央クリップ９１は、壁面Ｗに固定され書籍Ｂの上端辺中央領域を挟持することにより当該上端辺中央領域を壁面Ｗに固定する。
【０１９２】
また、下端辺中央クリップ９２は、壁面Ｗに固定され書籍Ｂの下端辺中央領域を挟持することにより当該下端辺中央領域を壁面Ｗに固定する。
【０１９３】
なお、下端辺中央クリップ９２は、壁面Ｗに固定され書籍Ｂの下端辺中央領域の下側に配置されることにより当該下端辺中央領域を下側から支持する（図示せぬ）支持台と、当該支持台に取り付けられ書籍Ｂの左右方向の中央部分に挟入されるように付勢される（図示せぬ）ピンとによって代替されてもよい。
【０１９４】
また、下端辺中央クリップ９２は、特に問題がなければ設けられなくてもよい。
【０１９５】
以上のような構成を有することにより、器具９は、より簡易な手段で書籍Ｂを壁面Ｗに配置（固定）することができる。
【０１９６】
また、上述した連結部材や壁面支持部材が、例えば小さな円盤形状のメジャーに用いられるようなビニール製の細長い帯状体と構成を同じくするものであってもよい。
【０１９７】
図１１は、そのような変形例にかかる器具１０を表した概略図である。
【０１９８】
図１１に示されるように、右上クリップ１１および左上クリップ１２は各々、（合計２つの）連結帯１０−１によって背クリップ１３に連結されている。なお、上述のように、右上クリップ１１、左上クリップ１２、および背クリップ１３は各々、突起などによって壁面に固定される手段を有している。
【０１９９】
連結帯１０−１は、上述のように細長い帯のような形状を有するビニール製の帯状体である。また、２つの連結帯１０−１は各々、長手方向の長さが例えば３０センチメートルであり、幅の長さが例えば１．５センチメートルであり、厚さが例えば０．２センチメートルである。
【０２００】
２つの連結帯１０−１は、不使用時には背クリップ１３に取り付けられた（図示せぬ）容器に収納される。例えば、当該容器の外側面上に設けられた（図示せぬ）ボタンを押下することによって、２つの連結帯１０−１がバネの力によってくるくると容器の中に巻き取られる構成を採用してもよい。
【０２０１】
以上のような構成を有することにより、器具１０の不使用時のサイズを極力小さく（コンパクトに）することができる。それと同時に、器具１０が全体として軽量になり、簡易な構成が実現される。
【０２０２】
また、連結部材もしくは壁面支持部材を構成する連結帯１０−１が柔らかくかつバネ仕掛けにより巻き取られ得るので、背クリップ１３から右上クリップ１１および左上クリップ１２の各々までの長さをより自由に調節することができる。
【産業上の利用可能性】
【０２０３】
本発明の器具は、簡易な構造によって本や雑誌などの書籍を壁面に配置（固定）することができ、本を飾るインテリアという新しいアイデアを提供した。したがって、自宅や飲食店、本屋、病院など様々な場所で広く利用され得るため、大量に製造・販売されいわゆる製造業・小売業などのサービス業において利用可能である。
【符号の説明】
【０２０４】
１…器具、１１…右上クリップ、１１１…把持部、１１２…一対の面、１１３…突起、１２…左上クリップ、１２１…把持部、１２２…一対の面、１２３…突起、１３…背クリップ、１３１…把持部、１３２…一対の面、１３３…突起、２…器具、２４…連結部材、２４１…中央連結部材、２４２…先端連結部材、２４３…鋲状部材、３…器具、３４…連結部材、３４１…中央連結部材、３４２…先端連結部材、３４３…鋲状部材、４…器具、４４…連結部材、４４１…中央連結部材、４４２…先端連結部材、４４３…鋲状部材、４５…右下クリップ、４６…左下クリップ、５…器具、５１…右上クリップ、５２…左上クリップ、５４…連結部材、５４１…中央連結部材、５４２…先端連結部材、５４３…鋲状部材、６…器具、６７…壁面支持部材、６７１…中央壁面支持部材、６７２…先端壁面支持部材、６７３…鋲状部材、７…器具、７３１…下側背クリップ、７３２…上側背クリップ、７４…連結部材、７４１…上側中央連結部材、７４２…下側中央連結部材、７４３…上側先端連結部材、７４４…下側先端連結部材、７４５…中間中央連結部材、８…器具、８４…連結部材、８４１…板状体、８４２…支持部材、９…器具、９１…上端辺中央クリップ、９２…下端辺中央クリップ、１０…器具、１０−１…連結帯
【図１】
2013042786.tif 000003
【図２】
2013042786.tif 000004
【図３】
2013042786.tif 000005
【図４】
2013042786.tif 000006
【図５】
2013042786.tif 000007
【図６】
2013042786.tif 000008
【図７】
2013042786.tif 000009
【図８】
2013042786.tif 000010
【図９】
2013042786.tif 000011
【図１０】
2013042786.tif 000012
【図１１】
2013042786.tif 000013